(57)【要約】      （修正有）【課題】中継局を介して無線基地局と無線端末とが無線通信を行う場合でも、効率的な再送制御を可能とする。【解決手段】無線基地局と無線端末との間に介在して、無線信号の中継処理を行う中継局において、無線端末から送信されたデータを受信する受信部と、データの受信結果を無線基地局に通知する通知部と、を備える。【選択図】図６
2011259469.tif 000002
【特許請求の範囲】
【請求項１】
無線基地局と無線端末との間に介在して、無線信号の中継処理を行う中継局において、
前記無線端末から送信されたデータを受信する受信部と、
該データの受信結果を前記無線基地局に通知する通知部と、
を備えたことを特徴とする中継局。
【請求項２】
請求項１記載の中継局において、
前記受信結果は、受信したデータを前記無線基地局に送信しないことで通知するか又は受信結果をデータとして前記無線基地局に送信することで通知する、
ことを特徴とする中継局。
【請求項３】
中継局を介して無線端末と無線通信を行う無線基地局において、
前記中継局が前記無線端末から送信されたデータを受信した場合に、該中継局から通知される該データの受信結果についての通知を受ける制御部、
を備えたことを特徴とする無線基地局。
【請求項４】
無線端末、中継局、無線基地局を備えた無線通信システムにおける該中継局において、
該無線端末から受信したデータの誤り確認を行い、その結果を該無線基地局に通知する通知部、
を有することを特徴とする中継局。
【請求項５】
前記通知部は、
該無線基地局に前記データの中継を行わないことにより、該データに誤りがあることを通知し、
該無線基地局に前記データの中継を行うことにより、該データに誤りがないことを通知する、
ことを特徴とする請求項４記載の中継局。
【請求項６】
前記通知部は、
前記結果を制御信号あるいは制御メッセージを用いて通知する、
ことを特徴とする請求項４記載の中継局。
【請求項７】
前記無線端末から受信したデータに誤りがない場合に、該データを記憶する記憶部と、
前記無線基地局から受信したデータに対する再送要求を受信した場合に、該記憶部に記憶したデータの再送を行う送信部と、
を有することを特徴とする請求項４記載の中継局。
【請求項８】
無線端末、中継局、無線基地局を備えた無線通信システムにおける前記無線基地局において、
前記中継局から受信データに誤りがない結果を受信し、該中継局から転送されたデータに誤りがあった場合に、該中継局に再送要求を通知する通知信号を生成する制御部、
を有することを特徴とする無線基地局。
【請求項９】
前記中継局から前記受信データに誤りがない結果の通知を受信した場合に、前記無線端末に対して正常に前記データを受信したことを示す受信結果を送信し、
前記中継局から前記受信データに誤りがある結果の通知を受信した場合に、前記無線端末に対して正常にデータを受信しなかったことを示す受信結果を送信する送信部、
を有することを特徴する請求項８記載の無線基地局。
【請求項１０】
無線基地局と無線端末との間に介在して無線信号の中継処理を行う中継局を備える無線通信システムにおいて、
前記中継局は、
前記無線端末から送信されたデータを受信する受信部と、
該データの受信結果を前記無線基地局に通知する通知部と、
を備え、
前記無線基地局は、
前記中継局が前記無線端末から送信されたデータを受信した場合に、該中継局から通知される該データの受信結果についての通知を受ける制御部、
を備えたことを特徴とする無線通信システム。
【請求項１１】
無線基地局と無線端末との間に介在して、無線信号の中継処理を行う中継局における中継方法において、
前記無線端末から送信されたデータを受信し、
該データの受信結果を前記無線基地局に通知する、
ことを特徴とする中継方法。
【請求項１２】
中継局を介して無線端末と無線通信を行う無線基地局における制御方法において、
前記中継局が前記無線端末から送信されたデータを受信した場合に、該中継局から通知される該データの受信結果についての通知を受ける、
ことを特徴とする制御方法。
【発明の詳細な説明】
【技術分野】
【０００１】
本発明は、無線通信を利用する無線基地局、中継局、無線通信システム、制御方法、中継方法に関する。本発明は、例えば、ＩＥＥＥ８０２．１６に規定された無線通信システムをベースとして中継局を追加する際に用いると特に好適である。
【背景技術】
【０００２】
ＷＣＤＭＡ、ＣＤＭＡ２０００等のシステムを代表として現在、無線通信路を介して通
信を行う無線通信システムが世界的に普及している。このような無線通信システムにおい
ては、サービスエリアに対して複数の無線基地局が設置され、無線端末はいずれかの無線
基地局を介して他の通信装置（通信端末）との通信を行う。その際、隣接する無線基地局
が無線通信可能なサービスエリアに重複部分を設け、無線環境の劣化にともない、隣接す
る無線基地局へのハンドオーバを可能としている。
【０００３】
また、無線方式としては、例えば、符号分割多重、時分割多重、周波数多重、ＯＦＤＭ
Ａ等の技術が採用され、１つの無線基地局に対して複数の無線端末が同時期に接続可能な
ことが一般的である。
【０００４】
図１は、１つの無線基地局（ＢＳ）とその配下の複数の無線端末（ＭＳ）を示した無線
通信システムの構成図であり、無線基地局１つに対して、複数の無線端末が接続可能であ
る、いわゆるＰ−ＭＰ接続による無線通信が行われることを示している。
【０００５】
しかし、無線基地局が無線通信可能なサービスエリア内であっても、エリアの境界に近
い場所等では、無線環境が良好でないために高速通信が困難であることが多い。また、エ
リアの内側であったとしても、ビル影等により無線信号の伝播を妨げる要因があり、無線
基地局との良好な無線接続が困難なエリア（いわゆる不感地帯）が生じてしまうことがあ
る。
【０００６】
そこで、無線基地局のサービスエリア内に中継局を配置し、無線端末と無線基地局とが
中継局を介して無線通信できるようにする案が提案されている。
【０００７】
特に、８０２．１６ｊのタスクグループにおいて、そのような中継局（ＲＳ：Ｒｅｌａ
ｙ  Ｓｔａｔｉｏｎ）の導入について、目下検討されている最中である。
【０００８】
図２に中継局を導入した無線通信システムの構成を示す。
【０００９】
無線基地局は、プリアンブル、ＭＡＰデータ、バーストデータを送信する。無線端末（
ＭＳ＃１）は、無線基地局と直接無線通信を行い、無線端末（ＭＳ＃２）は、中継局（Ｒ
Ｓ）を介して無線基地局と無線通信を行う。
【００１０】
尚、上述した、ＩＥＥＥ８０２．１６に関する事項は、例えば次の非特許文献１、２に
開示されている。
【非特許文献１】ＩＥＥＥ  Ｓｔｄ  ８０２．１６TM−２００４
【非特許文献２】ＩＥＥＥ  Ｓｔｄ  ８０２．１６ｅTM−２００５
【発明の開示】
【発明が解決しようとする課題】
【００１１】
一般に無線通信システムにおいては、伝搬路の影響により受信エラーが生ずることがあ
る。その場合、送信側装置から受信側装置に対して再送信（例えば、ＡＲＱ（Automatic 
Repeat reQuest）、ＨＡＲＱ（Hybrid Automatic Repeat reQuest））を行うことで、送
信データが受信側装置に伝達されるようにしている。
【００１２】
しかし、背景技術において説明した中継局を無線通信システムに導入すると、無線端末
は、中継局を介して無線基地局と無線通信を行うことができることとなるが、無線区間が
複数（ここでは２つ）に分断されることとなるため、効率的な再送信を行うには工夫が必
要である。
【００１３】
従って、本発明の目的の１つは、中継局を介して無線基地局と無線端末とが無線通信を
行う場合でも、効率的な再送制御を可能とすることである。
【００１４】
尚、上記目的に限らず、後述する発明を実施するための最良の形態に示す各構成により
導かれる効果であって、従来の技術によっては得られない効果を奏することも本発明の他
の目的の１つとして位置付けることができる。
【課題を解決するための手段】
【００１５】
本発明においては、無線基地局と無線端末との間に介在して、無線信号の中継処理を行う中継局において、前記無線端末から送信されたデータを受信する受信部と、該データの受信結果を前記無線基地局に通知する通知部と、を備えたことを特徴とする中継局を用いる。
【発明の効果】
【００１６】
本発明によれば、中継局を介して無線基地局と無線端末とが無線通信を行う場合でも、
効率的な再送制御が可能となる。
【発明を実施するための最良の形態】
【００１７】
以下、図面を用いながら、本発明の実施の形態について説明する。尚、便宜上、各実施
例を別個に説明するが、各実施例を組み合わせることで、組み合わせの効果を得て、更に
、有用性を高めることもできる。
〔ａ〕第１実施形態の説明
図３は、無線を利用して通信を行う無線基地局と無線端末を含む無線通信システムの例
として、ＩＥＥＥ８０２．１６に規定された無線通信システムに、中継局を新たに導入し
た場合の処理シーケンスを示したものである。もちろん、この処理シーケンスは、中継装
置を備えた他の無線通信システムに適用することもできる。
【００１８】
図において、ＢＳ（Base Station）は、無線基地局を示し、この無線通信システムによ
る無線通信サービスを提供するエリアに分散配置された１つのＢＳを示す。従って、当該
ＢＳの形成する無線エリアに隣接する無線エリアを形成する他のＢＳも存在するが、ここ
では図示を省略している。
【００１９】
尚、この無線通信システムにおいては、ＢＳ、ＭＳ、ＲＳの送受信チャネル（上り及び
下り方向）は、ＢＳから送信されるＭＡＰデータと称される送受信チャネルの定義データ
により制御される。
【００２０】
ＭＡＰデータは、例えば、送受信タイミング、送受信に用いるサブチャネル情報、変調
方式及び誤り訂正符号化方式をあらわすコード値、コネクションを識別するためのＣＩＤ
（Connection ID）を含み、ＭＳ、ＲＳは、ＣＩＤにより自身に関係のあるコネクション
かどうかを識別し、自身に関係のあるＣＩＤに対応する送受信タイミング、サブチャネル
で無線通信（無線信号の送信又は受信）を行う。従って、ＭＡＰデータは、送受信領域を
定義していると解することもできる。尚、好ましくは、ＣＩＤは、ＭＡＰデータにより定
義された送信領域に格納されるデータにも付されている。
【００２１】
ＭＡＰデータのうち上り方向（ＭＳからＲＳ（ＢＳ）側又はＲＳからＢＳ側への方向）
の通信領域を定義するデータをＵＬ（Up Link）−ＭＡＰデータ及び下り方向（ＢＳから
ＲＳ（ＭＳ）側又はＲＳからＭＳ側への方向）の通信領域を定義するデータをＤＬ（Down
Link）−ＭＡＰデータと称する。
【００２２】
ＭＳは、無線端末を示し、ＢＳの形成する無線エリア内に在圏することで、ＢＳと無線
通信を行うことができる。尚、無線端末は、場所を変えて（例えば移動しながら）通信を
行うことが許容されており、隣接する無線エリアを形成する他の無線基地局の配下に移動
した場合は、ハンドオーバ処理を行うことで、無線通信を継続して行うことができる。Ｍ
Ｓは、ＢＳと直接通信することもできるが、この例では、ＲＳを介してＢＳと無線通信を
行うＭＳを示している。
【００２３】
ＲＳは、中継局を示し、ＢＳと無線通信可能な状態となるように配置され、ＢＳから受
信した信号に基づいてＭＳへ信号を送信し、逆に、ＭＳから受信した信号に基づいて、Ｂ
Ｓへ信号を送信することで、不感地帯等の解消を図ることができる。
【００２４】
図３は、この無線通信システムにおける再送制御方法を示したシーケンス図である。
【００２５】
先に説明したように、ＢＳは、下りサブフレームにおいて、プリアンブル、ＭＡＰデー
タ（ＵＬ、ＤＬ双方含む）を送信するとともに、同じサブフレームにおいて、そのＭＡＰ
データにより定義された領域でバーストデータを送信する。領域の定義は、送信タイミン
グ、送信サブチャネル等により行われる。
【００２６】
ＲＳ、ＭＳはそれぞれ、ＢＳから送信されたプリアンブルを受信し、ＢＳの送信フレー
ムに同期し、引き続き送信されるＭＡＰデータを受信する。
【００２７】
ここでは、ＭＡＰデータは、ＢＳから送信され、ＲＳからは送信されないため、ＲＳ配
下のＭＳもＢＳから直接ＭＡＰデータを受信する。
【００２８】
ここでは、ＤＬ−ＭＡＰデータにおいて、ＲＳへのバーストデータ（下りＭＭＲリンク
）が定義されている（ＲＳのコネクションＩＤと対応させて定義されている）ため、ＲＳ
は、ＢＳからバーストデータを受信する。このバーストデータは、ＭＳへ送信すべきユー
ザデータを含むもので、図では中継データとして示している。
【００２９】
そして、ＢＳは、次の下りサブフレームにおいて、プリアンブル、ＭＡＰデータ（ＵＬ
、ＤＬ双方含む）、及びＭＡＰデータにより定義された領域でバーストデータを送信する
。但し、ＤＬ−ＭＡＰデータには、ＭＳへユーザデータが送信されるタイミング（Ｔ１）
を定義しており、その送信領域についてはＢＳからの送信は行わないようにする（中継局
の送信領域として確保する）。
【００３０】
ＲＳは、このＤＬ−ＭＡＰデータを受信し、既にＢＳから受信している中継データを、
ＤＬ−ＭＡＰデータにより定義されたタイミング（Ｔ１）でＭＳへ送信する。尚、ここで
は、ＲＳは、ＢＳから受信したデータについて誤り検出処理をせずに、ＭＳに送信するこ
ととする。もちろん、ＲＳにおいて受信データについて誤り検出を行ってもよい。
【００３１】
ＭＳは、同様にＢＳからのＤＬ−ＭＡＰデータを受信するので、ＤＬ−ＭＡＰデータに
より定義されたタイミング（Ｔ１）で受信動作を行うようにするので、ＲＳから中継され
たＭＳ宛のユーザデータを受信する。尚、タイミングＴ１を通知するＭＡＰデータは、Ｍ
Ｓに割り当てたコネクションＩＤを含むため、ＭＳは、割り当てられたコネクションＩＤ
に対応する領域定義情報を取り込み、自身へのデータ送信タイミングを検出することがで
きる。また、送信データにもコネクションＩＤが含まれるため、他のＭＳ宛のデータが多
重されていたとしても、自身宛のデータを分離して取得することができる。
【００３２】
尚、この例では、ＢＳからＲＳへ中継データを送信するデータ送信領域と、ＲＳからＭ
Ｓへ中継データを送信するデータ送信領域を別個のサブフレーム内に定義しているが、Ｒ
Ｓの送信処理が間に合うのであれば、同じサブフレーム内で送信するように、最初のＭＡ
Ｐデータにより、双方のデータ送信を定義し、同じ下り送信サブフレーム内で中継データ
を送信してもよい。
【００３３】
さて、中継データを受信したＭＳは、中継データに含まれる誤り検出情報（ＣＲＣビッ
ト等）を用いて、受信データに誤りがあるか否か判別する。好ましくは、中継データは誤
り訂正符号化（ターボ符号化、畳み込み符号化等）されており、受信データを復号してか
ら誤り検出を行う。
【００３４】
そして、次のＵＬ−ＭＡＰデータにより定義された受信結果の送信領域（ＭＳ用）にお
いて、正常に受信できたか否かを示す受信結果を送信する。受信結果としては、例えば、
誤り検出の結果をＡＣＫ信号（エラー無し）、ＮＡＣＫ信号（エラー有り）により表現す
ることができる。尚、再送を要求する信号により、正常に受信できなかったことを表現す
ることもできるし、再送を要求しない信号を送信することで正常に受信できたことを表現
することもできる。逆に、再送を要求する信号を送信しないことで正常に受信できたこと
を表現できるし、再送を要求しない信号を送信することで正常に受信できなかったことを
表現することができる。いずれにしての受信結果を送信していると解することができる。
【００３５】
ＢＳは、この受信結果をＭＳから直接受信した場合（不図示）は、シーケンスの最初に
戻り、ＲＳへ中継データの再送を行い（再送用のデータはＢＳにおいて記憶しておく）、
ＲＳからＭＳへ中継データを再送する。
【００３６】
この図では、ＲＳが受信結果をＭＳから受信する場合を示している。ＲＳは、ＢＳから
のＵＬ−ＭＡＰデータを受信し、それにより定義された受信結果の送信領域（ＭＳ用）を
認識することができるので、その送信領域でＭＳから送信される受信結果を受信すること
ができる。
【００３７】
そして、次のＵＬ−ＭＡＰデータにより定義された受信結果の送信領域（ＲＳ用）にお
いて、ＭＳから受信結果（誤り有り又は無し）を送信する。
【００３８】
すると、ＢＳは、シーケンスの最初に戻り、ＲＳへの中継データの再送を行い（再送用
のデータはＢＳにおいて記憶しておく）、ＲＳからＭＳへ中継データを再送する。
【００３９】
以上のようにすれば、中継局が介在する場合でも、ＢＳからＭＳへのデータの再送制御
が円滑に行われることとなる。
【００４０】
上り方向の再送制御も同様の手法を用いることができる。
・「装置構成」
図４、図５にＢＳ、ＲＳの装置構成をそれぞれ示す。
【００４１】
図４は、ＢＳの装置構成を示す。
【００４２】
図において、１はＲＳ、ＭＳとの間で無線信号を送受信するためのアンテナ、２はアン
テナ１を送受信系で共用するためのデュプレクサ、３は受信部、４は受信信号を復調する
復調部、５は復調した受信信号を復号する復号化部、６は復号データから制御データ（受
信結果等）を抽出し、制御部８に与えるとともに、ユーザデータ等の他のデータをパケッ
ト生成部７に転送する制御データ抽出部、７は制御データ抽出部から転送されたデータを
パケット化してＮＷインタフェース部１０に引き渡すパケット生成部を示す。
【００４３】
尚、復号化部５は、復号化後の受信データの誤り検出処理を行い、その結果を制御部８
に与える。また、復号化部５は、受信データに誤りを検出した場合は、その旨制御部８に
通知するとともに、復号前の受信データを受信処理部における記憶部に記憶する。次の再
送データの受信の際に、合成するため（ＨＡＲＱのため）である。合成が不要であれば、
ここで記憶しなくともよい。
【００４４】
１０は不図示のルーティング装置（複数の無線基地局と接続されており、パケットデー
タ等のデータの方路制御を行う装置）との間のインタフェース（ここではパケット通信を
行うこととする）を形成するインタフェース部であり、１１はＮＷインタフェース部１０
から受信したパケットデータに含まれるＩＰアドレスを識別し、ＩＰアドレスデータに基
づき宛先ＭＳを特定（例えば、ＩＰアドレスデータとＭＳのＩＤの対応を記憶しておき、
対応するＭＳのＩＤを取得）するとともに、ＩＤに対応するＱＯＳ（同様にＩＤに対応さ
せて記憶しておく）情報を取得し、ＭＡＰ情報生成部９にＩＤ、ＱＯＳ情報を与えて帯域
割り当て要求を行い、ＮＷインタフェース部１０から渡されたパケットデータをパケット
バッファ部１２に格納する。
【００４５】
９はＭＡＰ情報生成部を示し、帯域割り当て要求を受けると、ＭＳのＩＤをキーとして
検索することで通信経路を特定（経由する中継局を特定）し、ＱＯＳに応じたマッピング
エリアを下りデータ送信領域のいずれかに設定したＭＡＰデータを生成するとともに、そ
れに従った無線フレームを構成するように、ＰＤＵ生成部１３に指示する。また、制御部
８の指示に従って、ＢＳから送信すべきメッセージ（信号）が存在する場合に、そのメッ
セージの送信用の送信領域を定義したＭＡＰデータを作成して、ＰＤＵ生成部にプリアン
ブルとともに引き渡す。
【００４６】
１３はＰＤＵ生成部を示し、同期信号（プリアンブル）を基準として形成される無線フ
レームの各領域にＭＡＰデータ、送信データ（パケットバッファ部から取得）が格納され
るようにＰＤＵを生成し、符号化部１４に送出する。尚、パケットバッファ部は、ＭＳへ
のデータ送信が成功するまでデータを削除せず格納しておくことで、再送制御を可能とし
ている。
【００４７】
１４は符号化部、１５は変調部、１６は送信部をそれぞれ示し、順にＰＤＵデータを誤
り訂正符号化等の符号化処理を施してから変調し、送信部１６からアンテナ１０を介して
無線信号として送信する。
【００４８】
８は、ＢＳの各部の制御をする制御部を示す。
【００４９】
制御部は、記憶部を備え、記憶部には、ＢＳが記憶すべき各種データ（例えば通信経路
）が記憶される。
【００５０】
また、制御部８は、制御データ抽出部６によりＭＳ又はＲＳからの受信結果情報等の制
御データを取得し、再送が必要な場合は、パケットバッファ部１２から再度データを読み
出して、再送するように、ＰＤＵ生成部１３等を制御し、再送を実行する。この際、ＭＡ
Ｐ情報生成部９は、送信領域を定義すべく、ＢＳからＲＳへの送信領域定義するＭＡＰデ
ータ、ＲＳからＭＳへの送信領域を定義するＭＡＰデータを順に生成し、それぞれ送信す
るように、ＰＤＵ生成部１３に順に与える。
【００５１】
また、受信処理部から受信データに誤りを検出した旨の通知を受けると、再送を依頼す
べく、受信結果情報を生成し、ＭＡＰ情報生成部９に引き渡す。ＭＡＰ情報生成部９は、
受信結果情報の送信領域を定義したＤＬ−ＭＡＰデータを生成し、そのＭＡＰデータ及び
受信結果情報を送信するように、ＰＤＵ生成部１３等を制御する。受信結果が、誤り有り
を示す場合には、ＭＳ、ＲＳの順に上り方向送信領域を割り当て、ＭＳからの再送を可能
とする。
【００５２】
尚、この実施形態において、ＢＳからのデータをＲＳを介して受信したＭＳ又はＭＳか
らのデータをＲＳを介して受信したＢＳは、受信データがエラーであっても、受信データ
を保持しておき、再送データを受信した場合に、保持しておいた受信データと再送データ
を合成することもできる。例えば、受信ビットの確からしさを示す尤度情報の平均化を行
うことで合成を行い、その尤度情報を用いて再度ターボ復号処理を行うことで、受信デー
タの有効利用を図る（ＨＡＲＱを行う）こともできる。
【００５３】
図５は、ＲＳの装置構成を示す。
【００５４】
図において、２０はＢＳ、ＭＳとの間で無線信号を送受信するためのアンテナ、２１は
アンテナ２０を送受信で共用するためのデュプレクサ、２２は受信部、２３は受信信号を
復調する復調部、２４は復調した受信信号を復号する復号化部、２５は復号データから（
ＢＳから受信した）ＭＡＰデータを抽出しＭＡＰ情報解析部２６に与えるとともに、ＢＳ
から受信したＭＳ宛のデータをＰＤＵバッファ部２８に転送する制御データ抽出部２５を
示す。ＭＳから無線信号を受信した場合も同様に、ＢＳに対して送信すべくＰＤＵバッフ
ァ部２８に受信データを転送する。
【００５５】
また、制御データ抽出部２５は、抽出した制御データを制御部２７に渡す。
【００５６】
２７は、ＲＳの各部の制御をする制御部を示す。
【００５７】
制御部２７は、記憶部を備えており、ＲＳが記憶すべき各種データを記憶する。
【００５８】
ＭＡＰ情報生成部２６は、制御データ抽出部２５から転送されるＭＡＰデータを解析し
、その結果を制御部２７に与える。これにより、制御部２７は、ＢＳからのＤＬ−ＭＡＰ
およびＵＬ−ＭＡＰに従って、ＢＳとのダウンリンク、アップリンク通信（ＭＭＲリンク
）及びＭＳとのダウンリンク、アップリンク通信を制御する。
【００５９】
２８はパケットバッファ部を示す。ＭＡＰ情報解析部２６で生成したＭＡＰデータに従
って、無線通信を行うように、ＰＤＵ生成部２８に、パケットデータを転送する。
【００６０】
２９は符号化部、３０は変調部をそれぞれ示し、ＰＤＵバッファ部２８からの送信デー
タを符号化し、ＭＡＰ情報解析部２６で解析した送信タイミング、チャネルでユーザデー
タの送信を行うように変調処理を施してから送信部３１に引き渡す。
【００６１】
３１は送信部を示し、送信信号をアンテナ２０を介してＭＳ、ＢＳ宛に無線信号として
送信する。尚、ＰＤＵバッファ部２８は、ＭＳ（ＢＳ）へのデータ送信が成功するまでデ
ータを削除せず格納しておくことで、再送制御を可能としている。尚、制御部２７は、送
信部３１を制御することで、受信結果をＢＳに通知する通知部として機能する。
【００６２】
ＭＳの構成は、図５に示すＲＳの構成と略同様である。
【００６３】
但し、制御データ抽出部２５からＰＤＵバッファ部２８に転送されるデータは、ディス
プレ等の出力部に出力され、ＰＤＵバッファ部２８には、入力部から与えられたデータが
入力される。また、ＭＳは、ＭＡＰ情報解析部２６により解析した、ＢＳからのＭＡＰデ
ータ（当該ＭＳに対して送受信タイミングを定義したＭＡＰデータ）に従った送受信を行
えばよい。
【００６４】
以上のようにすれば、ＢＳが無線通信システムにおける送受信タイミングを制御してい
る場合であっても、再送制御が必要な場合は、ＢＳに対して通知（例えば、送信タイミン
グの割り当てが依頼）されるため、ＢＳがその通知を考慮して送信タイミングを制御する
（ＭＡＰデータを作成）することができ、ＲＳに無線通信システムの送受信タイミングを
制御する機能を追加する必要がない。
次に、シーケンス図、フローチャートを参照しながら最初に上り方向のデータ送信につ
いて説明し（第２実施形態参照）、次に、下り方向のデータ送信について説明する（第３
実施形態参照）。
〔ｂ〕第２実施形態の説明
第１実施形態においては、送信側装置（例えばＢＳ）からＲＳを介して受信側装置（例
えばＭＳ）へデータ送信を行った場合は、再送信は、再び送信側装置（例えばＢＳ）から
ＲＳを介して受信側装置（例えばＭＳ）へデータを再送信することで実行した。
【００６５】
この実施形態においては、ＲＳを有効利用して無線伝送の効率化を図ることとする。
【００６６】
例えば、ＲＳがＭＳ（ＢＳ）からデータを受信し、ＢＳ（ＭＳ）において、データの再
送要求が発生した場合、ＲＳを起点としてデータの再送信を行うことを可能とする。尚、
ＲＳを起点とする再送信は、送信側装置から正常な受信データをＲＳが取得することがで
きた場合に限ることが好ましい。ＲＳで正常な受信データを復号できない場合に、ＲＳを
起点として再送信を行っても、受信側で正常なデータが復号される可能性が低いからであ
る。
【００６７】
これにより、再送信の際に、送信側装置を起点としてＲＳに再送をしなくともよくなる
ため、無線リソースを効率的に使用できる。また、先のＲＳへの送信は成功したにもかか
わらず、次のＲＳへの再送は失敗するといったリスクを無くすことができる。
【００６８】
また、ＲＳにおいて正常な受信データを取得できなかった場合は、ＲＳから送信側装置
に対して再送を促すため、受信側装置から再送を促すより早期に再送を行うことができる
。
【００６９】
また、ＢＳが無線通信システムにおける送受信タイミングを制御している場合であって
も、再送制御が必要な場合は、ＢＳに対して通知（例えば、送信タイミングの割り当てが
依頼）されるため、ＢＳがその通知を考慮して送信タイミングを制御する（ＭＡＰデータ
を作成）することができ、ＲＳに無線通信システムの送受信タイミングを制御する機能を
追加する必要がない。
・「上り方向のデータ送信（その１）」
図６、図７は、上り方向のデータ送信についてのシーケンス（その１）を示す。
【００７０】
図８、図９は、ＲＳ、ＢＳにおける動作フロー（その１）を示す。
【００７１】
尚、この例では、再送制御としてＨＡＲＱを採用することとし、ＨＡＲＱ制御の対象と
なるデータをＨＡＲＱデータと称することとする。尚、ＡＲＱ制御を採用する場合は、受
信済みのデータを合成用に保持しておく必要はない。
【００７２】
さて、図６を参照すると、ＢＳは、ＭＡＰデータ生成部９により生成されたプリアンブ
ル、ＭＡＰデータ及びＭＡＰデータにより定義された領域に対応するデータをパケットバ
ッファ部１２から取り出し、サブフレームをＰＤＵ生成部１３で構成してから、このサブ
フレームを送信部１６からアンテナ１を介して送信する。
【００７３】
ＲＳ、ＭＳは、ＢＳから送信されたＭＡＰデータを受信し、ＭＡＰ情報解析部でＵＬ−
ＭＡＰデータ、ＤＬ−ＭＡＰデータを解析し、自身に関係のある送受信領域を認識する。
尚、その際、自身に割り当てられたコネクションＩＤを用いて判断することができる。
【００７４】
ここでは、ＵＬ−ＭＡＰデータによりＭＳに対して送信領域が割り当てられたため、Ｍ
Ｓは、入力部から入力されたデータをＨＡＲＱデータとして割り当てられた送信領域で送
信するように送信処理部を制御する。その際、送信データを送信処理部における記憶部に
記憶しておき、再送に備える。
【００７５】
一方、ＲＳもＵＬ−ＭＡＰデータによりＭＳに対して送信領域が割り当てられたことを
ＭＡＰ認識解析部２６で検出するため、制御部２７に受信タイミングを通知する。制御部
２７は、受信処理部を制御してＭＳから送信されるＨＡＲＱデータを受信する。
【００７６】
受信データは、復号化部２４により復号され、更に、誤り検出符号（ＣＲＣビット等）
を用いて誤り検出処理を行い、その結果を制御部２７に与える。
【００７７】
ここでは、誤りがなかったとすると、復号後のデータを制御データ検出部２５経由でＰ
ＤＵバッファ部２８に与える。
【００７８】
さて、ＭＳに対して送信領域を割り当てたＢＳは、次に、ＲＳに対してＭＳから受信し
たＨＡＲＱデータの送信を行うための送信領域を割り当てるために、その送信領域を定義
したＵＬ−ＭＡＰデータをＭＡＰ情報生成部９で作成し、ＰＤＵ生成部１３に与えること
で、ＭＡＰデータを送信部１６から送信する。
【００７９】
ＲＳは、このＵＬ−ＭＡＰデータを受信し、ＭＡＰ情報解析部２６で送信領域を検出し
制御部２７に通知する。
【００８０】
制御部２７は、受信処理部からＭＳから受信したＨＡＲＱデータに誤りがなかったこと
を通知されているので（通知結果は記憶部に記憶しておくことができる）、ＰＤＵバッフ
ァ部２８に格納されているそのＨＡＲＱデータを符号化部２９に与え、ＭＡＰ情報解析部
２６で検出した送信領域で送信するように、送信処理部を制御する。尚、ＰＤＵバッファ
部２８は、ＢＳへのデータ送信が成功するまでデータを削除せず格納しておくことで、再
送制御を可能としている。
【００８１】
さて、ＢＳの制御部８は、ＲＳに割り当てた送信領域において受信を行うように受信処
理部を制御し、ＲＳにより中継されたＨＡＲＱデータを受信する。受信したＨＡＲＱデー
タは、復号化部５により復号され、更に、誤り検出が行われ、その結果が制御部８に通知
される。
【００８２】
誤り無しの場合は、受信ＨＡＲＱデータは、パケット生成部７を介してＮＷインタフェ
ース部１０に引き渡される。そして、ＢＳからＭＳ、ＲＳに対して、受信結果（正常な受
信が確認された旨）が通知される。例えば、ＭＡＰデータにおいて、ＲＳ宛、ＭＳ宛に再
送不要の旨通知される。ＭＡＰデータでなく、ＤＬ−ＭＡＰデータで定義されるＲＳ、Ｍ
Ｓへのデータ領域に再送不要の旨のメッセージを格納して送信することもできる。再送要
求しないことにより、再送不要の旨を通知することもできる。
【００８３】
再送不要の旨通知された（再送要の旨通知されない）ＭＳ、ＲＳは、再送を行わない。
【００８４】
さて、制御部８に誤り有りが通知されると、ＢＳは、ＲＳに受信結果として、正常なデ
ータの受信ができなかったことを通知する。ＭＳに対しては正常なデータの受信ができた
こと（再送不要の旨）を通知する。ここで、受信結果の送信として、ＢＳは、再送要求を
行うこととしてもよい。再送不要の旨（正常な受信が確認された旨含む）通知しないこと
で、再送要求を行うこともできる。
【００８５】
このときの再送要求や再送不要の旨も、ＲＳ宛のＭＡＰデータ内、ＭＳ宛のＭＡＰデー
タ内又はＤＬ−ＭＡＰデータで定義したＲＳ、ＭＳへのデータ送信領域にそれぞれ格納す
ることができる。
【００８６】
従って、ＭＳのＭＡＰ情報解析部又は制御部は、再送が不要なことを認識するため、再
送は行わず、ＲＳのＭＡＰ情報解析部２６又は制御部２７は再送が必要であることを認識
し、ＰＤＵバッファ部２８に格納していたＨＡＲＱデータの再送を行うように制御部２７
は送信処理部等を制御する。
【００８７】
尚、再送の送信領域は、ＵＬ−ＭＡＰデータで指定された領域であるが、好ましくは再
送要求が格納されたＭＡＰデータと同じＭＡＰデータ内で指定される。例えば、ＵＬ−Ｍ
ＡＰデータ内に再送要求及び再送の際のデータ送信領域が定義されるのである。もちろん
、同じＭＡＰデータ内であるが、別個の部分に格納され、送信されてもよい。また、さい
そう要求は、ＤＬ−ＭＡＰで定義したＲＳへの送信データ領域に格納することもできる。
【００８８】
ＲＳから再送されたＨＡＲＱデータはＢＳの受信処理部で受信され、記憶部に記憶した
受信済のデータと合成されてから、復号され、更に誤り検出が行われる。
【００８９】
誤りが検出された場合は、ＲＳだけに受信結果が送信され（再送要求が送信され）、誤
りが無い場合は、ＲＳに受信結果（再送不要の旨又は正常な受信が確認された旨）が送信
される。
【００９０】
図７は、ＲＳがＭＳから受信したＨＡＲＱデータについて誤りが検出された場合の処理
シーケンスを示す。
【００９１】
この場合、ＲＳの復号化部２４は、復号化後の受信ＨＡＲＱデータについて誤りを検出
するので、誤り有りの旨制御部２７に通知するとともに、復号前の受信ＨＡＲＱデータを
受信処理部の記憶部に記憶する（再送データとの合成のためである）。そして、制御部２
７は、誤り検出の通知により、ＨＡＲＱデータのＢＳへの送信は行わないように制御する
。
【００９２】
即ち、ＨＡＲＱデータのＢＳへの送信を行わないことにより、受信結果（ＲＳにおいて
正常にデータを受信できなかったこと）をＢＳに通知することができる。
【００９３】
ＢＳの制御部８は、ＲＳからのＨＡＲＱの送信がないことから、ＭＳからの再送が必要
であると判断して、ＭＳに対して再送要求を行う。例えば、ＭＡＰ情報生成部９に対して
ＭＳにＨＡＲＱの再送のための送信領域をＵＬ−ＭＡＰデータにより定義させるとともに
、ＭＳに対して送信する受信結果（再送制御信号）をＵＬ−ＭＡＰデータに書き込むよう
に制御する。尚、ＤＬ−ＭＡＰデータにおいてＭＳ宛のデータ送信領域を定義し、その領
域に再送要求信号を格納することとしてもよい。
【００９４】
ＭＡＰ情報生成部９により生成されたＭＡＰデータは、送信部１６から送信され、ＲＳ
、ＭＳにより受信される。
【００９５】
ＭＳは、ＰＤＵバッファ部において記憶していたＨＡＲＱデータを読み出し、符号化等
の処理を施してから（符号化データを格納している場合は符号化は省略してよい）、ＢＳ
のＵＬ−ＭＡＰデータにより指定された送信領域で送信するように、送信処理部を制御す
る。
【００９６】
ＲＳは、ＢＳからのＭＡＰデータにより、ＭＳから再送があることを認識するので、再
送ＨＡＲＱデータをＭＳから受信する。そして、ＲＳの復号化部２４は、受信処理部の記
憶部に記憶したデータと合成してから再度復号化し、復号化したデータの誤り検出処理を
行う。誤り有りの有無は、制御部２７に通知され、誤り無しの場合は、図６に示したよう
にＨＡＲＱデータをＢＳ側に送信する処理及びそれに引き続いた処理を行い、誤り有りの
場合は、図７に示したようにＨＡＲＱをＢＳ側に送信しない処理及びそれに引き続く処理
を行う。
【００９７】
図８にＲＳの処理フローを示す。
【００９８】
まず、ＲＳは、ＢＳから送信されるＵＬ−ＭＡＰデータからＭＳからＨＡＲＱデータが
送信されることを認識するとともに、受信領域を特定する（１）。
【００９９】
そして、ＲＳの受信処理部は、ＭＳから送信されるＨＡＲＱデータをその受信領域で受
信し（２）、受信したＨＡＲＱデータを復調、復号する（３）。
【０１００】
更に、復号化部２４は、復号後のＨＡＲＱデータについて誤り検出処理を行い、誤りが
ある場合は、処理を終了する（４）。即ち、ＲＳからＢＳに対してＨＡＲＱデータ等は送
信されない。
【０１０１】
一方、誤りが無い場合は、（５）に進む。
【０１０２】
（５）では、ＲＳは、ＭＳから受信したＨＡＲＱデータをＰＤＵバッファ部２８に記憶
する処理を行う。
【０１０３】
そして、ＲＳは、ＢＳからのＵＬ−ＭＡＰデータを受信し、ＨＡＲＱデータの送信領域
を特定する（６）。
【０１０４】
そして、ＲＳは、特定した送信領域において、ＭＳから受信したＨＡＲＱデータをＢＳ
に送信する（７）。尚、この送信を行っても、ＰＤＵバッファ部２８に記憶されたＨＱＲ
Ｑデータは削除されない。再送に備えるためである。
【０１０５】
そして、ＢＳからＭＡＰデータを受信する（８）。
【０１０６】
ＲＳは、ＢＳから受信したＭＡＰデータ（又はＭＡＰデータにより指定されたＲＳの受
信領域のバーストデータ）に格納された受信結果情報により、ＢＳから再送要求があるか
無いかを判断する（９）。尚、ＢＳから正常な受信ができたことを示す信号（例えば、Ａ
ＣＫ）を所定のタイミングで受信しないことで、再送要求があると判断することもできる
。
【０１０７】
さて、再送要求有りと判断すると、（７）に戻り、（５）で記憶済みのＨＡＲＱデータ
をＰＤＵバッファ部２８から読み出し、ＢＳに再送する。
【０１０８】
一方、再送要求無しと判断すると、（１０）に進み、（５）で記憶していたＨＡＲＱデ
ータを削除し、以降のデータ記憶領域としての利用を許容する。
【０１０９】
図９にＢＳの処理フローを示す。
【０１１０】
ＢＳのＭＡＰ情報生成部９は、ＭＳに対してＨＡＲＱの送信領域を割り当てるＵＬ−Ｍ
ＡＰデータを送信した後、ＲＳに対して、そのＨＡＲＱをＢＳに送信可能とするために、
ＲＳに送信領域を割り当てるＵＬ−ＭＡＰデータ作成し、送信部１６から送信する（１）
。
【０１１１】
そして、ＨＡＲＱデータが指定した送信領域でＲＳから送信されたか否かを判定する（
２）。
【０１１２】
送信されないと判断した場合は、ＲＳにおいて、ＭＳからのＨＡＲＱデータの受信が失
敗したと判定して、ＭＳに対してＨＡＲＱデータを再送するように、正常に受信できなか
ったことを示す受信結果（再送要求）を送信する（８）。再送要求は、ＭＡＰデータ内で
ＭＳのコネクションＩＤと対応付けて送信することができる。また、ＤＬ−ＭＡＰデータ
で定義した送信領域に対応するデータ領域内に再送要求を格納することで、ＭＳに再送要
求を行ってもよい。尚、ＭＳに対して正常な受信ができたことを示す信号（例えば、ＡＣ
Ｋ）を送信しないことで、ＭＳの再送を促すこともできる。
【０１１３】
さて、ＨＡＲＱデータをＲＳから受信した場合は、受信し、復調、復号したＨＡＲＱデ
ータに誤りがあるか否か判定する（３）。
【０１１４】
誤りが無いことが検出されると、ＭＳ及びＲＳに対して正常に受信ができたことを示す
受信結果（例えば、ＡＣＫ）を送信する（９）。ＭＡＰデータ内でＲＳ、ＭＳのコネクシ
ョンＩＤと対応付けてＡＣＫを送信することができる。また、ＤＬ−ＭＡＰデータで定義
した送信領域に対応するデータ領域内にＡＣＫを格納することで、ＲＳ、ＭＳのそれぞれ
に通知することもできる。また、ＲＳ、ＭＳに対して再送要求を行わないことで、正常に
ＨＡＲＱデータを受信できたことを通知することもできる。
【０１１５】
さて、（３）において、ＨＡＲＱデータに誤りが検出された場合は、復号前の受信ＨＡ
ＲＱデータを受信処理部の記憶部に記憶しておき、ＭＡＰ情報生成部９により、ＭＡＰデ
ータ作成して、送信する（４）。このＭＡＰデータには、ＭＳへ正常に受信ができたこと
を示す受信結果（例えば、ＡＣＫ）を含め、また、ＲＳへ再送用の送信領域の定義領域を
含める。ＲＳに対して、再送要求を意味する信号をＭＡＰデータに含めることもできる。
尚、ＭＳへ再送要求を行わないことで、正常な受信ができたことを通知することもできる
。
【０１１６】
そして、指定した送信領域でＲＳからＨＡＲＱデータを受信し（５）、受信したＨＡＲ
Ｑデータを受信処理部の記憶部に記憶しておいてデータと合成してから復号してから、誤
り検出処理を行う（６）。
【０１１７】
ここで、誤りが無いと判断した場合は、ＲＳに対してＨＡＲＱデータが正常に受信がで
きたことを示す信号（例えば、ＡＣＫ）を送信する（１０）。この信号は、ＭＡＰデータ
内又はＭＡＰデータにより指定した送信領域で送信することができる。ＲＳに対して、再
送要求しないことで、ＡＣＫ信号を送信することで、正常に受信ができたことをＭＳに通
知することもできる。
【０１１８】
一方、ＨＡＲＱデータに誤りがある場合は、ＲＳに対してＨＡＲＱデータの送信領域を
割り当てるＭＡＰデータを作成し、送信する（７）。ＢＳは、ＲＳに送信領域を割り当て
るとともに、再送要求をＭＡＰデータ又はＭＡＰデータにより定義するデータ領域に格納
することができる。
【０１１９】
そして、ＲＳから再送されたＨＡＲＱデータを受信し（５）、受信処理部の記憶部に記
憶しておいたデータと合成してから復号、誤り検出等を行う（６）。
【０１２０】
以後の処理は、先の説明と同様である。
・「上り方向のデータ送信（その２）」
次に、上り方向のデータ送信（その１）の変形例について説明する。
【０１２１】
図１０、図１１は、上り方向のデータ送信についてのシーケンス（その２）を示す。
【０１２２】
図１２、図１３は、ＲＳ、ＢＳにおける動作フロー（その２）を示す。
【０１２３】
図１４は、ＭＡＰデータの構成例を示す。
【０１２４】
この変形例では、ＲＳにおけるＭＳからのＨＡＲＱデータの受信結果（例えば、正常に
受信できたこと、正常に受信できなかったこと等）をＢＳに送信することとする。
【０１２５】
例えば、ＲＳにおけるＭＳからのＨＡＲＱデータの受信結果が、正常に受信できたこと
を示す場合（ＡＣＫ信号を受信した場合）は、ＢＳは、ＲＳから受信したＨＡＲＱデータ
に誤りが検出されると、ＲＳに対して再送要求を行い、ＭＳに対しては、再送を要求しな
い（図１０参照）。ＲＳへの再送の要求は、先と同様の手法でよい。
【０１２６】
また、ＲＳが正常にＨＡＲＱデータを受信なかった場合は、ＢＳにＨＡＲＱデータは送
信されず、ＲＳにおいてＨＡＲＱデータを正常に受信しなかったことを示す受信結果（Ｎ
ＡＣＫ信号）がＢＳに送信される（図１１参照）。ここで、ＲＳにおいて誤りが検出され
たＨＡＲＱデータもＢＳに送信することで、ＢＳにおいてこのＨＡＲＱデータを合成用の
データとして利用とすることもできる。
【０１２７】
ＢＳは、このＮＡＣＫ信号の受信により、ＲＳでなく、ＭＳに対して再送要求を行い、
その後、ＲＳに送信領域を割り当て、ＭＳからの再送ＨＡＲＱデータを受信する。好まし
くは、ＢＳは、先にＲＳから受信したＨＡＲＱデータと再送ＨＡＲＱデータを合成してか
ら復号する。
【０１２８】
図１４は、ＲＳからＨＡＲＱデータ及びＡＣＫ又はＮＡＣＫ信号を受信するためにＢＳ
のＭＡＰ情報が生成部９が作成するＭＡＰデータの例を示す。
【０１２９】
図のように、ＢＳはＵＬ−ＭＡＰデータを作成するが、ＨＡＲＱデータ本体の送信用の
送信領域だけでなく、ＡＣＫ、ＮＡＣＫ信号の送信領域も定義している点が特徴である。
【０１３０】
例えば、ＨＡＲＱデータの送信領域を複数（３つ）定義し、対応するＡＣＫ、ＮＡＣＫ
送信領域も対応づけて複数（３つ）定義する。ＲＳは、Ｈ１でＨＡＲＱデータを送信する
場合は、対応する送信領域にＡＣＫ、ＮＡＣＫ信号を格納する（図ではＡＣＫ）。定義領
域のＲＳへの割り当ては、ＲＳのコネクションＩＤを用いればよい。
【０１３１】
図１２にＲＳの処理フローを示す。
【０１３２】
まず、ＲＳは、ＢＳから送信されるＵＬ−ＭＡＰデータからＭＳからＨＡＲＱデータが
送信されることを認識するとともに、受信領域を特定する（１）。
【０１３３】
そして、ＲＳは、ＭＳから送信されるＨＡＲＱデータをその受信領域で受信し（２）、
受信したＨＡＲＱデータを復調、復号する（３）。
【０１３４】
更に、ＲＳは、復号後のＨＡＲＱデータについて誤り検出処理を行い（４）、誤りがあ
る場合は、ＵＬ−ＭＡＰデータによりＮＡＣＫ信号の送信領域を特定する（１２）。
【０１３５】
そして、ＲＳは、ＭＳからＨＡＲＱデータを正常に受信できなかったことを示すＮＡＣ
Ｋ信号をＢＳに送信する（１３）。尚、ＭＳからの復号前のＨＡＲＱデータを受信処理部
の記憶部に記憶しておくことが望ましい。ＭＳからの再送があった際に、合成してから復
号を行うことができるからである。また、ＢＳからのＵＬ−ＭＡＰデータにより、ＨＡＲ
Ｑデータの送信領域を特定し、その領域で正常に受信できなかったＨＡＲＱデータをＢＳ
に送信することもできる。せっかく割り当てられた送信領域を有意義に使うとともに、Ｂ
ＳにおけるＨＡＲＱ処理（再送データとの合成）を可能とするためである。
【０１３６】
一方、ＨＡＲＱデータに誤りが検出されなかった場合は、ＲＳは、ＨＡＱＲデータをＰ
ＤＵバッファ部２８に記憶する（５）。ＢＳへの再送に備えるためである。
【０１３７】
そして、ＲＳは、ＵＬ−ＭＡＰデータにより、ＨＡＲＱデータの送信領域及びＡＣＫ信
号の送信領域を特定する（６）。尚、ＡＣＫ信号は送信しないとすることもできる。
【０１３８】
そして、ＲＳは、ＭＳから受信したＨＡＲＱデータ及びＡＣＫ信号を指定された送信領
域でＢＳに対して送信する（７）。
【０１３９】
そして、ＲＳ宛のＭＡＰデータ又はＭＡＰデータにより定義された送信領域に格納され
たデータをＲＳは、受信する（８）。
【０１４０】
ＲＳは、受信データから、ＢＳからの受信結果情報としての再送要求を検出すると（９
）、ＰＤＵバッファ部２８に記憶しているＨＡＲＱデータを読み出し、受信したＭＡＰデ
ータで指定された送信領域でＨＡＲＱデータの再送を行う（１１）。尚、ＢＳによる送信
領域の指定と再送要求とはＭＡＰデータ内に格納することができるが、再送要求は、別途
ＤＬ−ＭＡＰデータで定義したデータ送信領域に格納することもできる。
【０１４１】
一方、再送要求を検出しない（又はＢＳにおいて正常に受信できたことを検出（通知）
）場合は、ＰＤＵバッファ部２８に記憶してあるＨＡＲＱデータを削除し（１０）、処理
を終了する。
【０１４２】
図１３にＢＳの処理フローを示す。
【０１４３】
ＢＳは、ＭＳに対してＨＡＲＱデータの送信領域を割り当てるＵＬ−ＭＡＰデータを送
信した後、ＲＳに対して、そのＨＡＲＱデータをＢＳに送信可能とするために、ＲＳにＨ
ＡＲＱデータの送信領域及びＡＣＫ、ＮＡＣＫ信号の送信領域を定義したＭＡＰデータ（
図１４参照）を送信し（１）、指定した送信領域での受信を行う。
【０１４４】
そして、受信内容に基づいて、ＲＳが、ＨＡＲＱデータを正常に受信できたかどうか判
断する（２）。例えば、ＡＣＫ信号を受信したか否か又はＨＡＲＱデータが格納されてい
るかどうかで判断することができる。
【０１４５】
ＲＳがＨＡＲＱデータを正常に受信できなかったと判断すると、ＭＳに対してＨＡＲＱ
データを再送するためのデータ送信領域を割り当てたＵＬ−ＭＡＰデータを送信し（４）
、（１）の処理に戻る。
【０１４６】
ＲＳが、ＨＡＲＱデータを正常に受信できた（ＡＣＫ信号を受信）場合は、ＢＳは、Ｈ
ＡＲＱデータを受信するので、その復号を行い、誤り検出処理を行う（３）。
【０１４７】
誤りが検出されない場合は、ＭＳに対してＨＡＲＱデータが正常に受信できたことを示
す信号を送信する（１０）。例えば、ＢＳは、ＭＡＰデータ内又はＤＬ−ＭＡＰデータで
定義した送信領域にＡＣＫ信号を格納して、送信する。尚、ＲＳに対してもＡＣＫ信号を
同様に送信することとしてもよい。
【０１４８】
さて、ＢＳが、復号したＨＡＲＱデータに誤りを検出した場合は、ＭＳに対してＨＡＲ
Ｑデータが正常に受信できたことを示す信号を送信するとともに、ＲＳに対して再送要求
を行う（５）。尚、ＢＳは、ＭＡＰデータ内においてＭＳに対するＡＣＫ信号、ＲＳに対
する再送要求信号（ＮＡＣＫ信号等）を格納すればよい。但し、ＢＳは、ＲＳに対しては
、ＵＬ−ＭＡＰデータによりＭＳから受信したＨＡＲＱデータの再送用のデータ送信領域
を割り当てる。また、ＢＳは、復号前の受信ＨＡＲＱデータを受信処理部の記憶部に記憶
しておく。
【０１４９】
そして、ＢＳは、ＲＳから再送されたＨＡＲＱデータを受信すると（６）、記憶部に記
憶していたデータと合成してから復号を行い、復号結果に誤りがあるか否か判定する（７
）。
【０１５０】
ここで、ＢＳは誤りを検出しない場合は、ＲＳに対してＨＡＲＱデータを正常に受信し
たことを示す信号（例えば、ＡＣＫ信号）を送信する。ＡＣＫ信号は、ＭＡＰデータ内又
は、ＤＬ−ＭＡＰデータで定義したＭＳ宛のデータ送信領域内に格納することができる。
【０１５１】
一方、ＢＳは、誤り検出により誤り有りと判定すると、ＲＳに対してＨＡＲＱデータの
再送要求を行い（８）、次の再送ＨＡＲＱデータを受信する処理に戻る（６）。
【０１５２】
ＲＳに対する再送要求は、（５）におけるＲＳへの再送要求と同様にして行うことがで
きる。尚、ＢＳは、受信済みの復号前のＨＡＲＱデータ（既に１回合成済みであれば合成
後のＨＡＲＱデータ）を受信処理部の記憶部に記憶しておき、ＲＳからの再送があった場
合は、記憶部に記憶したデータと合成してから復号等を行う。
〔ｃ〕第３実施形態の説明
次に下り方向のデータ送信について説明する。
・「下り方向のデータ送信（その１）」
図１５、図１６は、下り方向のデータ送信についてのシーケンス（その１）を示す。
【０１５３】
図１７、図１８は、ＲＳ、ＢＳにおける動作フロー（その１）を示す。
【０１５４】
尚、この例では、再送制御としてＨＡＲＱを採用することとし、ＨＡＲＱ制御の対象と
なるデータをＨＡＲＱデータと称することとする。尚、ＡＲＱ制御を採用する場合は、受
信済みのデータを合成用に保持しておく必要はない。
【０１５５】
さて、図１５を参照すると、ＢＳは、ＭＡＰデータ生成部９により生成されたプリアン
ブル、ＭＡＰデータ及びＭＡＰデータにより定義された領域に対応するデータをパケット
バッファ部１２から取り出し、サブフレームをＰＤＵ生成部１３で構成し、このサブフレ
ームを送信部１６からアンテナ１を介して送信する。
【０１５６】
ＲＳ、ＭＳは、ＢＳから送信されたＭＡＰデータを受信し、ＭＡＰ情報解析部でＵＬ−
ＭＡＰデータ、ＤＬ−ＭＡＰデータを解析し、自身に関係のある送受信領域を認識する。
尚、その際、自身に割り当てられたコネクションＩＤを用いて判断することができる。
【０１５７】
ここでは、ＤＬ−ＭＡＰデータによりＲＳに対してＨＡＲＱデータを送信する送信領域
（ＲＳにとっては、ＨＡＲＱデータの受信領域）が割り当てられたため、ＲＳは、割り当
てられた受信領域で受信するように受信処理部を制御する。
【０１５８】
ＲＳが、ＢＳからＨＡＲＱデータを受信すると、受信データは、復号化部２４で復号さ
れ、更に、誤り検出符号（ＣＲＣビット等）を用いて誤り検出処理が行われ、その結果が
制御部２７に与えられる。
【０１５９】
ここでは、誤りがなかったとすると、ＲＳは、復号したＨＡＲＱデータを制御データ検
出部２５経由でＰＤＵバッファ部２８に与える。
【０１６０】
次に、ＢＳは、ＲＳからＭＳからのＨＡＲＱデータの送信を許容するため、ＭＳへのデ
ータ送信の送信領域を定義したＵＬ−ＭＡＰデータをＭＡＰ情報生成部９で作成し、ＰＤ
Ｕ生成部１３に与えることで、ＭＡＰデータを送信部１６から送信する。
【０１６１】
ＲＳ、ＭＳはともに、ＭＡＰ情報解析部において、ＢＳからのＭＡＰデータを受信（特
にＤＬ−ＭＡＰデータ）し、ＭＳに対する送信領域が確保されたことを検出する。
【０１６２】
従って、ＲＳは、その送信領域において、ＰＤＵバッファ２８に格納したＢＳからのＨ
ＡＲＱデータを符号化等してから送信部３１から送信する。このとき、ＨＡＲＱデータを
送信してもＰＤＵバッファ部２８は、送信ＨＡＲＱデータを保持しておき、ＭＳへの再送
に備えておく。
【０１６３】
また、ＢＳからのＭＡＰデータにより、受信結果を送信するための送信領域が、ＵＬ−
ＭＡＰデータにより指定されたことをＲＳのＭＡＰ情報解析部２６は検出するので、正常
に受信ができたことを示す（例えばＡＣＫ信号）信号を指定された送信領域でＢＳに送信
する。尚、正常にＨＡＲＱデータを受信できなかったことを示す信号（例えば、ＮＡＣｋ
信号）を送信しないことで、正常にＨＡＲＱデータの受信ができたことを通知することも
できる。
【０１６４】
一方、ＭＳの制御部は、ＭＡＰ情報解析部で検出した送信領域に対応する受信領域で受
信を行うように受信処理部を制御し、ＲＳから転送されたＨＡＲＱデータを受信する。
【０１６５】
ＨＡＲＱデータをＲＳから受信したＭＳは、復号化部において復号を行い、更に、復号
後のデータの誤り検出処理を行う。
【０１６６】
ここで、誤りがない場合は、正常に受信ができたことを示すＡＣＫ信号をＢＳに送信し
（不図示）、一方、誤りがある場合は、正常に受信ができなかったことを示すＮＡＣＫ信
号をＢＳに送信する（図示された例に該当）。尚、ＡＣＫ信号、ＮＡＣＫ信号は、ＢＳが
送信するＵＬ−ＭＡＰデータで定義されたデータ送信領域（ＭＳに割り当てられた送信領
域）において送信される。
【０１６７】
さて、ＢＳは、先にＲＳからＡＣＫ信号を受信し（ＮＡＣＫ信号を受信しない）、更に
、ＭＳからＮＡＣＫ信号を受信するため、ＢＳからＲＳへのＨＡＲＱデータの送信は成功
したが、ＲＳからＭＳに対する送信が失敗したことを認識する。
【０１６８】
従って、ＢＳのＭＡＰ情報生成部９は、ＤＬ−ＭＡＰデータにより、ＭＳに対する送信
領域を定義したＭＡＰデータを作成し、送信する。好ましくは、更に、ＲＳに対して再送
要求を示す信号を送信する。再送要求信号は、送信領域を定義したＤＬ−ＭＡＰデータ内
に格納することができる。また、再送要求信号は、別途ＲＳへのメッセージとして（ＲＳ
に対する下り方向のバーストデータ内に格納）、ＭＭＲリンクを介してＲＳに送信するこ
ともできる。尚、ＲＳは、ＭＳが受信結果をＢＳに送信する際に、その信号を受信し、Ｍ
Ｓにおける受信結果を認識することもできる。その受信により、ＲＳからＭＳへの再送が
必要であることを制御部２７が認識し、ＭＳへの送信領域が割り当てられたＤＬ−ＭＡＰ
データの受信により、ＲＳからのＨＡＲＱデータの再送を実行することもできる。
【０１６９】
さて、ＭＳに対する送信領域が定義されたＭＡＰデータを受信（好ましくは、更に再送
要求信号を受信）したＲＳの制御部２７は、ＰＤＵバッファ部２８に記憶していたＨＡＲ
Ｑ送信データを読み出し、指定された送信領域で再送信するように符号化部２９に与える
。
【０１７０】
一方、ＭＳの制御部は、ＮＡＣＫ信号送信後、ＤＬ−ＭＡＰデータにより、自身に再送
信があることを認識するため、指定された送信領域で送信される信号の受信を行うように
、受信処理部を制御する。
【０１７１】
再送されたＨＡＲＱデータを受信したＭＳは、先の受信により、受信処理部の記憶部に
記憶済みのＨＡＲＱデータを読み出し、今回の再送ＨＡＲＱデータを合成してから、復号
化部２４において復号し、復号結果について誤り検出処理を施す。
【０１７２】
誤り検出結果は、制御部２７に通知され、受信結果に応じてＡＣＫ（誤り無し）、ＮＡ
ＣＫ（誤り有り）を生成し、ＢＳに指定された送信領域で送信する。図では、ＢＳに直接
送信しているが、ＲＳ経由でＢＳに送信することもできる。但し、その際、ＲＳからＢＳ
へ転送するための送信領域をＵＬ−ＭＡＰデータにより定義することとなる。
【０１７３】
ＡＣＫが返送された場合は、ＢＳは、ＨＡＲＱデータの送信完了として処理を終了し、
ＮＡＣＫが返送された場合は、ＢＳは、再びＲＳからＭＳに対して再送信を行うように先
に説明した処理と同様の処理を行う。
【０１７４】
図１６は、ＲＳがＢＳから受信したＨＡＲＱデータについて誤りが検出された場合の処
理シーケンスを示す。
【０１７５】
この場合、ＲＳの復号化処理部２４は、復号化後の受信ＨＡＲＱデータについて誤りを
検出するので、誤り有りの旨制御部２７に通知するとともに、復号前の受信ＨＡＲＱデー
タを受信処理部の記憶部に記憶する（再送データとの合成のためである）。
【０１７６】
さて、ＨＡＲＱデータをＲＳに送信したＢＳは、ＲＳからＭＳへの送信を実行可能とす
べく、ＭＳへのデータ送信領域を定義したＤＬ−ＭＡＰデータをＭＡＰ情報制生成部９に
より作成し、送信部１６から送信する。
【０１７７】
しかし、ＲＳの制御部２７は、ＢＳからの受信ＨＡＲＱデータについて誤りを検出した
ため、ＢＳのＤＬ−ＭＡＰデータで定義されたその送信領域でのＭＳへのＨＡＲＱデータ
の送信は行わない。
【０１７８】
一方、ＲＳは、ＢＳからのＵＬ−ＭＡＰデータにより、正常にデータを受信できたかど
うかの結果を送信する送信領域を割り当てられたことをＭＡＰ情報解析部２６で検出し、
その送信領域で、受信結果を送信するように送信処理部を制御する。
【０１７９】
ここでは、ＲＳは、ＮＡＣＫを送信する。
【０１８０】
また、ＢＳは、ＭＳに対しても正常にデータを受信できたかどうかの結果を送信する送
信領域を割り当てる。即ち、ＵＬ−ＭＡＰデータにおいて、ＭＳに対して送信領域を割り
当てる。
【０１８１】
ＭＳのＭＡＰ情報解析部は、このＵＬ−ＭＡＰデータを解析し、送信領域を検出する。
そして、ＭＳの制御部は、受信結果を示す信号（この場合は、受信しておらずＮＡＣＫ信
号でよい）を作成し、指定された送信領域で送信するように、送信処理部を制御する。
【０１８２】
ＲＳは、好ましくは、ＢＳにより指定された送信領域において、ＭＳから送信されたＮ
ＡＣＫ信号を受信し、ＢＳを起点としたＭＳへのＨＡＲＱデータの再送制御が実行される
ことを認識する。
【０１８３】
さて、ＢＳは、ＲＳからＮＡＣＫ信号を受信したため、ＲＳへの再送信が必要であるこ
とを認識し、ＤＬ−ＭＡＰデータにより、ＲＳへの再送信用の送信領域を定義し、送信し
、その送信領域でＨＡＲＱデータを再送信する。再送信の際は、パケットバッファ部１２
に記憶しておいてＨＡＲＱデータを読み出して送信すればよい。
【０１８４】
ＲＳは、ＤＬ−ＭＡＰデータにより再送信があることを認識し、受信処理を行うように
、受信処理部を制御する。
【０１８５】
そして、ＲＳは、再送信されたＨＡＲＱデータを、受信処理部の記憶部に記憶しておい
てＨＡＲＱデータと合成してから、復号化し、更に、誤り検出処理を行う。以後の処理は
、前述したものと同様である。
【０１８６】
図１７にＲＳの処理フローを示す。
【０１８７】
まず、ＲＳは、ＢＳから送信されるＤＬ−ＭＡＰデータからＢＳからＨＡＲＱデータが
送信されることを認識するとともに、受信領域を特定する（１）。
【０１８８】
そして、ＢＳから送信されるＨＡＲＱデータをその受信領域で受信し（２）、受信した
ＨＡＲＱデータを復調、復号する（３）。
【０１８９】
更に、復号後のＨＡＲＱデータについて誤り検出処理を行い、誤りがある場合は、ＢＳ
から送信されるＵＬ−ＭＡＰデータを受信し、受信結果の通知用の信号の送信領域を検出
し（１３）、正常に受信ができなかったことを示す信号（ＮＡＣＫ信号）をＢＳに対して
送信する（１４）。尚、ＲＳは、復号前の受信ＨＡＱＲデータを受信処理部の記憶部に記
憶しておく。ＢＳからの再送ＨＡＲＱデータとの合成のためである。
【０１９０】
以後は、（１）に戻り、ＢＳからのＤＬ−ＭＡＰデータの受信及び再送ＨＡＲＱデータ
の受信を行い、受信処理部の記憶部に記憶したＨＡＲＱデータとの合成を行ってから再び
ＨＡＲＱデータの誤り検出を行う（４）こととなる。
【０１９１】
一方、誤りが無い場合は、（５）に進む。
【０１９２】
（５）では、ＲＳは、ＢＳから受信したＨＡＲＱデータをＰＤＵバッファ部２８に記憶
する処理を行う。
【０１９３】
そして、ＲＳは、ＢＳからのＤＬ−ＭＡＰデータを受信し、ＨＡＲＱデータの送信領域
を特定し、さらに、ＵＬ−ＭＡＰデータを受信し、受信結果の通知用の送信領域を特定す
る（６）。
【０１９４】
ＲＳは、特定した受信結果の通知用の送信領域で、ＡＣＫ信号をＢＳに送信する（７）
。
【０１９５】
また、特定したＨＡＲＱデータの送信領域において、ＭＳに対してＨＡＲＱデータを送
信する（８）。
【０１９６】
ＲＳは、その後、ＢＳのＵＬ−ＭＡＰデータにより、ＭＳに対して受信結果の通知用の
送信領域が割り当てられることを検出するので、その送信領域において送信されるＭＳか
らの信号の受信を試みる（９）。
【０１９７】
そして、受信信号がＡＣＫであるかどうか判定し（１０）、ＡＣＫ信号を検出すると、
再送の必要がないことから、送信処理部の記憶部に記憶しておいた、送信済みのＨＡＲＱ
データを削除し（１１）、処理を終了する。
【０１９８】
一方、ＮＡＣＫ信号を検出すると、再送が必要であることを認識し、ＢＳから送信され
るＤＬ−ＭＡＰデータによりＭＳへのデータ送信領域が割り当てられたことを認識するの
で（１２）、その送信領域でＨＡＲＱデータの再送信を行う（８）。以後の処理は先と同
様である。
【０１９９】
尚、ＲＳは、ＭＳからの受信結果を示す信号を監視するようにしたが、ＢＳからＭＳに
おける受信結果を通知されることとしてもよい。また、ＢＳから再送要求を受けなければ
ＭＳにおいて正常にデータの受信が行われたと判断することもできる。
【０２００】
ただし、ＭＳからの受信結果を示す信号を監視すると、早く受信結果を認識することが
でき不要なデータの削除等も早く行うことができる。また、無線送信すべき信号量を減ら
すことができ、無線リソースの節約をすることができる。
【０２０１】
図１８にＢＳの処理フローを示す。
【０２０２】
ＢＳは、ＲＳに対して、ＢＳからＨＡＲＱデータをＲＳに送信することを通知すべく、
そのＨＡＲＱデータの送信領域を定義したＤＬ−ＭＡＰデータ作成し送信する（１）。そ
して、そのＤＬ−ＭＡＰデータにより定義した送信領域でＨＡＲＱデータを送信する（２
）。
【０２０３】
尚、ＢＳの送信処理部の記憶部は、送信するＨＡＲＱデータを記憶しておく。ＲＳへの
再送に備えるためである。
【０２０４】
次に、ＲＳによるＭＳへのＨＡＲＱデータの送信を可能とすべく、ＤＬ−ＭＡＰデータ
においてＭＳへのデータの送信領域を定義する（３）。また、ＲＳによるＢＳへのＨＡＲ
Ｑデータの受信結果の通知を可能とすべく、ＵＬ−ＭＡＰデータにおいてＢＳへのデータ
の送信領域を定義する（３）
そして、指定した送信領域においてＲＳから送信される受信結果の通知を受信する（４
）。
【０２０５】
次に、ＭＳによるＲＳへのＨＡＲＱデータの受信結果の通知を可能とすべく、ＵＬ−Ｍ
ＡＰデータにおいてＭＳ用のデータの送信領域を定義する（５）
そして、ＭＳからの受信結果を示す信号を受信する（６）。
【０２０６】
次に、ＲＳからの応答がＡＣＫであったか判定し（７）、ＡＣＫでない（ＮＡＣＫであ
る）場合は、ＢＳは、ＲＳに対してＨＡＲＱデータを再送すべく、ＤＬ−ＭＡＰデータに
おいて再送ＨＡＲＱデータの送信領域を定義し、送信する（８）。
【０２０７】
そして、定義した送信領域でＨＡＲＱデータを再送し（９）、（３）の処理に戻る。
【０２０８】
一方、ＲＳからの応答がＡＣＫである場合は、ＭＳからの応答がＡＣＫであるか判断し
（１０）、ＡＣＫでれば、ＨＡＲＱデータのＭＳへの送信が成功として処理を終了する。
【０２０９】
一方、ＡＣＫでなければ（ＮＡＣＫであれば）、ＲＳからＭＳへのＨＡＲＱデータの再
送処理を行う。
【０２１０】
即ち、ＭＳへの送信領域を定義したＤＬ−ＭＡＰデータを送信する（１１）。
【０２１１】
ＭＳから受信結果を送信するための、送信領域を定義したＵＬ−ＭＡＰデータを作成し
、送信する（１２）。
【０２１２】
そして、ＭＳからの受信結果を指定した送信領域において受信し（１３）、ＭＳからの
応答がＡＣＫであるか否か判断する（１０）。
【０２１３】
以後の処理は先に説明したものと同様である。
・「下り方向のデータ送信（その２）」
次に、下り方向のデータ送信（その２）の変形例について説明する。
【０２１４】
図１９、図２０は、下り方向のデータ送信についてのシーケンス（その２）を示す。
【０２１５】
図２１、図２２は、ＲＳ、ＢＳにおける動作フロー（その２）を示す。
【０２１６】
図２３は、信号とその意味を示す。
【０２１７】
この変形例では、ＭＳからの受信結果を示す信号をＲＳからＢＳに送信することとする
。好ましくは、ＲＳは、自身における受信結果とＭＳからの受信結果の双方をまとめてＢ
Ｓに送信することとする。
【０２１８】
即ち、図１５において、ＢＳは、ＨＡＲＱデータをＲＳに送信後、ＲＳに対して、受信
結果を通知するための送信領域を定義したＵＬ−ＭＡＰデータを送信したが、この段階で
は、そのような定義はしなくてよい。
【０２１９】
従って、図１５ではＲＳから送信されたＡＣＫ信号は、図１９では、この段階では、Ｒ
ＳからＢＳに送信されないし、図１６ではＲＳ送信されたＮＡＣＫ信号は、図２０では、
この段階では、ＲＳからＢＳに送信されない。
【０２２０】
しかし、ＭＳに対しては、受信結果を通知するための送信領域を定義したＵＬ−ＭＡＰ
データをＢＳは送信するため、ＭＳから受信結果が送信される。
【０２２１】
しかし、この例では、ＢＳはそのＭＳからの受信結果の受信をこの段階で行う必要はな
い。もちろん、受信することもできる。
【０２２２】
次に、ＢＳのＭＡＰ情報生成部９は、ＲＳが、ＲＳにおける受信結果とＭＳからの受信
結果の双方をまとめてＢＳに送信することができるように送信領域を定義したＵＬ−ＭＡ
Ｐデータを作成し、送信する。
【０２２３】
従って、ＲＳは、先にＢＳから受信したＨＡＲＱデータの受信結果とＭＳから受信した
ＨＡＲＱデータの受信結果をまとめて、指定された送信領域で送信する。
【０２２４】
ＲＳが送信する信号の例を図２３に示す。ＭＳが正常なＨＡＲＱデータを受信できた場
合は、ＨＡＲＱデータの送信が成功したことを示すＡＣＫ信号、ＲＳがＨＡＲＱデータを
ＢＳから受信した際に既に誤りがある場合は、ＮＡＣＫ信号、ＲＳではＨＡＲＱデータを
受信できたが、ＭＳでは誤りが検出された場合は、ＲＳＡＣＫ信号をＲＳが作成し、ＢＳ
に送信することとする。このメッセージに限らず、３つの状態のいずれかであることがＢ
Ｓで検出できれば他の信号でもよい。
【０２２５】
図１９の例では、ＲＳは、ＲＳＡＣＫ信号をＢＳに送信し、図２０の例では、ＮＡＣＫ
信号をＢＳに送信することとなる。
【０２２６】
ＢＳの制御部８は、ＲＳから受信した信号に基づいて、ＢＳから再送が必要か（ＮＡＣ
Ｋ受信の場合）、ＲＳから再送が必要か（ＲＳＡＣＫ受信の場合）を判断し、それぞれに
応じた処理を行う。
【０２２７】
図１９の例では、ＲＳからの再送が必要であるため、ＭＳへの送信領域を定義したＤＬ
−ＭＡＰデータを作成し、送信することで、ＲＳがその送信領域でＨＡＲＱデータの再送
を行う。
【０２２８】
図２０の例では、ＢＳからの再送が必要であるため、ＲＳへのデータ送信領域を定義し
たＤＬ−ＭＡＰデータを作成し、対応するデータ送信領域でＨＡＲＱデータのＲＳへの再
送を行い、その後、ＭＳへのデータ送信領域を定義したＤＬ−ＭＡＰデータを作成し、Ｒ
Ｓは、対応するデータ送信領域でＨＡＲＱデータのＭＳへの再送を行う。
【０２２９】
図２１にＲＳの処理フローを示す。
【０２３０】
まず、ＲＳは、ＢＳから送信されるＤＬ−ＭＡＰデータからＢＳからＨＡＲＱデータが
送信されることを認識するとともに、受信領域を特定する（１）。
【０２３１】
そして、ＢＳから送信されるＨＡＲＱデータをその受信領域で受信し（２）、受信した
ＨＡＲＱデータを復調、復号する（３）。
【０２３２】
更に、復号後のＨＡＲＱデータについて誤り検出処理を行い（４）、誤りがある場合は
、ＢＳから送信されるＵＬ−ＭＡＰデータを受信し、ＭＳの受信結果の通知用の信号の送
信領域を検出し（１６）、正常に受信ができなかったことを示す信号（ＮＡＣＫ信号）を
ＭＳから受信する（１７）。尚、ＲＳは、復号前の受信ＨＡＱＲデータを受信処理部の記
憶部に記憶しておく。ＢＳからの再送ＨＡＲＱデータとの合成のためである。
【０２３３】
そして、ＨＡＲＱデータの受信結果の通知用の送信領域を定義したＵＬ−ＭＡＰデータ
をＢＳから受信し、その送信領域を特定する（１８）。
【０２３４】
ここでは、ＲＳがＢＳから受信したＨＡＲＱデータに誤りが検出されたため（必要であ
れば、更にＭＳからのＮＡＣＫ信号の受信を冗長的に参照し）、ＢＳに対して指定された
送信領域でＮＡＣＫ信号を送信し（１９）、（１）の処理に戻り、再送データをＢＳから
受信する。その際、記憶しておいたＨＡＲＱデータと再送されたＨＱＲＱデータを合成し
てから復号することが好ましい。
【０２３５】
さて、（４）でＨＡＲＱデータに誤りが検出されなかった場合は、ＲＳのＰＤＵバッフ
ァ部２８に送信ＨＡＲＱデータを記憶する（５）。再送に備えるためである。
【０２３６】
そして、ＢＳからＭＳへＨＡＲＱデータを送信するための送信領域が定義されたＭＡＰ
データを受信するので、その送信領域を特定し（６）、その領域で、ＨＡＲＱデータをＭ
Ｓに送信する（７）。
【０２３７】
次に、ＵＬ−ＭＡＰデータにより、受信結果を通知する信号の送信領域がＭＳに割り当
てられるので、ＲＳは、このＵＬ−ＭＡＰデータを受信し（８）、ＭＳから送信される受
信結果を通知する信号を受信する（９）。
【０２３８】
ＲＳは、ＭＳから受信した結果がＭＳにおいて正常にＨＡＲＱデータ受信できたことを
示すＡＣＫであるか否か判断する（１０）。
【０２３９】
ここで、ＡＣＫであることを検出すると、ＨＡＲＱデータの送信が成功したことを意味
するので、ＰＤＵバッファ部２８に記憶しておいたＨＡＲＱデータを削除する（１１）。
【０２４０】
そして、ＲＳは、ＢＳからＵＬ−ＭＡＰデータを受信し、ＲＳから受信結果を送信する
ための送信領域を検出する（１２）。
【０２４１】
ＲＳは、ＭＳからＡＣＫ信号を受信しているため、ここでは、まとめた受信結果として
、ＡＣＫ信号（１３）をＢＳに送信する。尚、ＲＳがＢＳから受信したＨＡＲＱデータに
ついても誤りが検出されていない。
【０２４２】
一方、ＲＳは、ＭＳからＡＣＫ信号を受信しない（ＮＡＣＫ信号を受信した）場合は、
ＢＳから送信されるＭＡＰデータを受信し、ＢＳへ受信結果を通知するための送信領域を
特定する（１４）。
【０２４３】
ＲＳは、ＢＳからのＨＡＲＱデータの受信については誤りがなかったものの、ＭＳから
ＮＡＣＫ信号を受信したため、ＢＳにＲＳＡＣＫ信号を指定された送信領域で送信し（１
５）、（６）の処理に戻る。
【０２４４】
図２２にＢＳの処理フローを示す。
【０２４５】
ＢＳは、ＲＳに対してＨＡＲＱデータを送信する領域を定義したＤＬ−ＭＡＰデータを
生成し、送信し（１）、定義した送信領域で、ＨＡＲＱデータを送信する（２）。尚、Ｂ
Ｓは送信ＨＡＲＱデータをパケットバッファ部１２に記憶しておき、再送に備える。
【０２４６】
そして、ＲＳからＭＳに対してＨＡＲＱデータの転送を可能とすべく、ＭＳへの送信領
域を定義したＤＬ−ＭＡＰデータを作成し、送信する（３）。
【０２４７】
そして、ＢＳは、ＭＳに対して、受信結果を通知する信号用の送信領域を定義したＵＬ
−ＭＡＰデータを作成し、送信する（４）。
【０２４８】
次に、ＲＳに対して、受信結果を通知する信号用の送信領域を定義したＵＬ−ＭＡＰデ
ータを作成し、送信する（５）。
【０２４９】
ＢＳは、ＲＳ、ＭＳの双方における受信結果情報をＲＳから受信する。
【０２５０】
そして、ＲＳからＡＣＫ信号を受信した場合は、ＭＳまでＨＡＲＱデータが正常に送信
されたことを意味するから、このＨＡＲＱデータの送信処理を終了する。この段階で、パ
ケットバッファ部１２に記憶しておいた再送用ＨＡＲＱデータの削除を行ってよい。
【０２５１】
一方、ＡＣＫ信号でない場合（ＮＡＣＫ信号を受信した場合、ＲＳＡＣＫ信号を受信し
た場合）は、（８）に進む。
【０２５２】
ＢＳは、（８）において、ＮＡＣＫ信号を受信したか否か判定し、ＮＡＣＫ信号でない
ことを検出（ＲＳＡＣＫ信号であることを検出）すると、ＲＳからＭＳに対してＨＡＲＱ
データの再送を行うべく、ＭＳに対するデータの送信領域を定義したＤＬ−ＭＡＰデータ
を作成し送信する（１１）。好ましくは、ＲＳに対して再送要求信号を送信して、再送要
求を行う。
【０２５３】
一方、ＢＳは、ＮＡＣＫ信号を受信した場合は、ＢＳからの再送が必要であることを認
識するため、ＢＳからＲＳに対するデータの送信領域を定義したＤＬ−ＭＡＰデータを作
成し送信する（９）。そして、指定した送信領域で、パケットバッファ部１２に記憶して
いたＨＡＲＱデータを読み出し、ＲＳに再送信する（１０）。
【０２５４】
その後は、処理（４）に戻り、ＲＳからＭＳへの再送がなされることとなる。
【図面の簡単な説明】
【０２５５】
【図１】従来の無線通信システムの構成
【図２】中継局を導入した無線通信システムの構成
【図３】実施形態に係る無線通信システム
【図４】ＢＳの装置構成
【図５】ＲＳの装置構成
【図６】上り方向のデータ送信についてのシーケンス（その１）
【図７】上り方向のデータ送信についてのシーケンス（その１）
【図８】ＲＳにおける動作フロー（その１）
【図９】ＢＳにおける動作フロー（その１）
【図１０】上り方向のデータ送信についてのシーケンス（その２）
【図１１】上り方向のデータ送信についてのシーケンス（その２）
【図１２】ＲＳにおける動作フロー（その２）
【図１３】ＢＳにおける動作フロー（その２）
【図１４】ＭＡＰデータの例
【図１５】下り方向のデータ送信についてのシーケンス（その１）
【図１６】下り方向のデータ送信についてのシーケンス（その１）
【図１７】ＲＳにおける動作フロー（その１）
【図１８】ＲＳにおける動作フロー（その１）
【図１９】下り方向のデータ送信についてのシーケンス（その２）
【図２０】下り方向のデータ送信についてのシーケンス（その２）
【図２１】ＲＳにおける動作フロー（その２）
【図２２】ＲＳにおける動作フロー（その２）
【図２３】信号とその意味
【符号の説明】
【０２５６】
１    アンテナ
２    デュプレクサ
３    受信部
４    復調部
５    復号化部（誤り検出部）
６    制御データ抽出部
７    パケット生成部
８    制御部
９    ＭＡＰ情報生成部
１０  ＮＷインタフェース部
１１  パケット識別部
１２  パケットバッファ部
１３ＰＤＵ生成部
１４  符号化部
１５  変調部
１６  送信部
２０    アンテナ
２１  デュプレクサ
２２  受信部
２３  復調部
２４  復号化部（誤り検出部）
２５  制御データ抽出部
２６  ＭＡＰ情報解析部
２７  制御部（通知部）
２８  ＰＤＵバッファ部
２９  符号化部
３０  変調部
３１  送信部
【図１】
2011259469.tif 000003
【図２】
2011259469.tif 000004
【図３】
2011259469.tif 000005
【図４】
2011259469.tif 000006
【図５】
2011259469.tif 000007
【図６】
2011259469.tif 000008
【図７】
2011259469.tif 000009
【図８】
2011259469.tif 000010
【図９】
2011259469.tif 000011
【図１０】
2011259469.tif 000012
【図１１】
2011259469.tif 000013
【図１２】
2011259469.tif 000014
【図１３】
2011259469.tif 000015
【図１４】
2011259469.tif 000016
【図１５】
2011259469.tif 000017
【図１６】
2011259469.tif 000018
【図１７】
2011259469.tif 000019
【図１８】
2011259469.tif 000020
【図１９】
2011259469.tif 000021
【図２０】
2011259469.tif 000022
【図２１】
2011259469.tif 000023
【図２２】
2011259469.tif 000024
【図２３】
2011259469.tif 000025